(57)【要約】【課題】品種の異なるキャビネットで箱体の共用化が図れ、ノートパソコンを個別に管理することができ、管理が容易で防犯性が高く、ノートパソコンの充電時に電源コードが邪魔になったり抜き取りが面倒でなく、外観を向上するノートパソコン用キャビネットを提供する。【解決手段】ノートパソコン用キャビネット１は箱体２に棚板４を複数段に設けて収納部６を形成し、扉１１で閉塞して施錠可能にする。各収納部６には電源コンセント９を設けて個別にノートパソコン５の充電ができる。また、近接スイッチ１４で扉１１の開閉を検出してノートパソコン５の出し入れを遠隔のパソコンで監視する。異常が発生した場合は警報手段１７が作動して周囲に知らせるとともに、遠隔のパソコンに警報を出力する。【選択図】図１
2006239030.tif 000002
【特許請求の範囲】
【請求項１】
前面を開口した箱体に複数の収納部を設け、該収納部にノートパソコンを個別に収納可能にしたノートパソコン用キャビネットにおいて、前記箱体に棚板を固定して前記収納部を形成した場合は前記箱体の前面開口を扉体で閉塞可能にするとともに、前記箱体に引出しを設けて前記収納部を形成した場合は前記箱体の前面開口を前記引出しの前面板で閉塞可能にし、前記箱体の前面開口の閉塞手段を変更可能にしたことを特徴とするノートパソコン用キャビネット。
【請求項２】
前記閉塞手段の開動作をセンサにより検出し、外部に信号を出力して遠隔で前記閉塞手段の開閉状態を監視できるようにしたことを特徴とする請求項１に記載のノートパソコン用キャビネット。
【請求項３】
前記箱体に警報手段を設け、前記閉塞手段が不法に開放されたことを前記センサにより検出した場合に外部に警報信号を出力するとともに前記警報手段が作動することを特徴とする請求項２に記載のノートパソコン用キャビネット。
【請求項４】
前面を開口した箱体に複数の収納部を設け、該収納部にノートパソコンを個別に収納可能にしたノートパソコン用キャビネットにおいて、前記各収納部に電源コンセントを設けたことを特徴とするキャビネット。
【発明の詳細な説明】
【技術分野】
【０００１】
本発明は、複数台のノートパソコンを収納するためのキャビネットに関する。
【背景技術】
【０００２】
従来、複数台のノートパソコンを収納するためのキャビネットは、前面を開口した箱体の高さ方向に複数段に棚板を設けてノートパソコンを収納する収納部を形成し、箱体の前面開口には扉体が開閉自在に設けられ、扉体に設けられた錠で施錠できるようにしていた。また、箱体の前面開口近くに複数のコンセント差込口を備えた縦長の電源コンセントバーが設けられ、棚板にノートパソコンを収納した状態で充電ができるようになっていた（非特許文献１参照。）。
【０００３】
【非特許文献１】“キャビネット  ＮＢＣｓｅｒｉｅｓ”［online］、エレコム株式会社、［平成１７年２月２５日検索］、インターネット＜ＵＲＬ：http://www2.elecom.co.jp/furniture/cabinet/nbc/index.asp＞
【発明の開示】
【発明が解決しようとする課題】
【０００４】
このように従来のノートパソコン用キャビネットは扉体だけに錠が設けられているのでノートパソコンを個別に管理することができなかった。また、電源コンセントバーに電源プラグを接続して充電をした場合に電源コードが他の収納部の前面に垂れ下がるため、ノートパソコンの出し入れの邪魔になっていたし、電源コンセントバーに多数の電源プラグが接続されていると電源コードが絡まることがあり、目的の電源プラグの抜き取りが煩わしく、外観も損なわれていた。また、ノートパソコンの出し入れの管理が人手に頼っており、防犯上の不安があった。
【課題を解決するための手段】
【０００５】
本発明は、請求項１に記載の発明によれば、前面を開口した箱体に複数の収納部を設け、収納部にノートパソコンを個別に収納可能にしたノートパソコン用キャビネットにおいて、箱体に棚板を固定して収納部を形成した場合は箱体の前面開口を扉体で閉塞可能にするとともに、箱体に引出しを設けて収納部を形成した場合は箱体の前面開口を引出しの前面板で閉塞可能にし、箱体の前面開口の閉塞手段を変更可能にしたことを特徴とする。
【０００６】
請求項２に記載の発明によれば、請求項１に記載のノートパソコン用キャビネットにおいて、閉塞手段の開動作をセンサにより検出し、外部に信号を出力して遠隔で閉塞手段の開閉状態を監視できるようにしたことを特徴とする。
【０００７】
請求項３に記載の発明によれば、請求項２に記載のノートパソコン用キャビネットにおいて、箱体に警報手段を設け、閉塞手段が不法に開放されたことをセンサにより検出した場合に外部に警報信号を出力するとともに警報手段が作動することを特徴とする。
【０００８】
請求項４に記載の発明によれば、前面を開口した箱体に複数の収納部を設け、収納部にノートパソコンを個別に収納可能にしたノートパソコン用キャビネットにおいて、各収納部に電源コンセントを設けたことを特徴とする。
【発明の効果】
【０００９】
請求項１に記載の発明によれば、棚板収納式のキャビネットと引出し収納式のキャビネットとで箱体の共用化が図れ、また、引出し収納式のキャビネットにした場合にはノートパソコンを個別に管理することができるという効果がある。
【００１０】
請求項２に記載の発明によれば、請求項１に記載の発明の効果に加えて、扉体や引出しの開閉状態をキャビネットから離れた場所でコンピュータにより管理することができ、管理が容易になるという効果がある。
【００１１】
請求項３に記載の発明によれば、請求項２に記載の発明の効果に加えて、防犯性が向上するという効果がある。
【００１２】
請求項４に記載の発明によれば、ノートパソコンの充電を行う際に電源コードが他のノートパソコンの出し入れの邪魔にならず、電源コードの抜き取りもスムーズに行うことができ、而も外観を向上するという効果がある。
【発明を実施するための最良の形態】
【００１３】
ノートパソコン用キャビネットは箱体に棚板を複数段に設けて収納部を形成し、扉で閉塞して施錠可能にする。各収納部には電源コンセントを設けて個別にノートパソコンの充電ができる。また、扉の開閉を近接スイッチで検出して遠隔のパソコンで監視する。異常が発生した場合は警報手段が作動して周囲に知らせるとともに、遠隔のパソコンに警報を出力する。
【実施例１】
【００１４】
本発明に係るノートパソコン用キャビネットの実施例１を図１〜図４の添付図面に基づいて説明する。
【００１５】
ノートパソコン用キャビネット１は、前面を開口した箱体２の内部を仕切り板３で２分割され、仕切り板３の右側空間に複数段に棚板４を設けてノートパソコン５の収納部６を形成している。棚板４は箱体２の左右内側面にＬ形金具７，７を螺着し、このＬ型金具７，７間に懸架し螺着固定している。収納部６の最下段は他の収納部５に比べて高さ寸法が大きくとられ、プリンタやプロジェクタや説明書などを収納できるようになっている。また、仕切り板３の左側空間に複数段に奥行き寸法の小さい小物収納部８が形成され、ＣＤやＤＶＤなどが収納できるようになっている。
【００１６】
ノートパソコンの収納部６には棚板４の手前側に個別に電源コンセント９が設けられ、この電源コンセント９にノートパソコン５の電源プラグ５ａを接続して保管時に充電できるようになっている。電源コンセント９は小物用収納部８の裏側の空間に設けられた端子台１０を介して配線されている。
【００１７】
箱体２の前面にはノートパソコン５などの収納部６を閉塞する大扉１１と、小物用収納部８を閉塞する小扉１２とが開閉自在に蝶着され、小扉１２を閉塞した状態で大扉１１を閉塞すると小扉１２の開放端に重なって小扉１２が開放できないようになっている。大扉１１の開放側にはハンドル１３が設けられ、ハンドル１３は上下方向に延びたロット棒１３ａが両扉１１，１２を閉塞状態で箱体２の天板２ａ及び底板２ｂに係脱可能にされ、ハンドル１３の錠により両扉１１，１２を閉塞状態で施錠することができる。
【００１８】
このように設けられた大扉１１の開放端裏面にはセンサである近接スイッチ１４の磁石部１４ａが取り付けられ、近接スイッチ１４のスイッチ部１４ｂが箱体２の夫々の磁石部１４ａに対向する位置に取り付けられている。箱体２にスイッチ部１４ｂを設けているので大扉１１及び小扉１２の開閉による衝撃の影響を受けづらく、誤動作や故障を防止でき、また、配線も引き回しやすい。スイッチ部１４ｂは最下段の棚板４の下側空間に設けられた通信装置１５に接続され、近接スイッチ１４から出力された信号は通信装置１５を介して無線ＬＡＮ１６により送信し、キャビネット１から離れた場所にあるパソコン（図示せず）などで信号を受信して大扉１１及び小扉１２の開閉を監視できるようになっている。箱体２にはブザーやライトなどの警報手段１７が設けられ、管理者の許可なく大扉１１又は小扉１２が不法に開けられた場合は通信装置１５が警報手段１７を作動させて周囲に知らせるとともに無線ＬＡＮ１６から管理者のパソコンに警報を出力するようになっている。大扉１１又は小扉１２を開けたい場合は管理者に許可を得てパソコンから警報を解除することで開けることができる。尚、ノートパソコン用キャビネット１から外部への信号の送信方法は無線ＬＡＮでなく有線であっても良い。
【００１９】
以上説明したノートパソコン用キャビネット１はノートパソコン５を一括して管理する場合に用いられるが、以下にノートパソコン５を個別に管理する場合について説明する。
【００２０】
ノートパソコン用キャビネット１は箱体２の大扉１１を取り外し、棚板４とＬ形金具７，７を取り外し、仕切り板３と箱体２の右内側面にコ字形金具１８，１８を螺着し、コ字形金具１８，１８間に引出し１９を前後方向に摺動可能に設けて収納部６を形成し、引出し１９の前面板１９ａで前面開口を閉塞するようになっている。引出し１９の前面板１９ａには錠２０が設けられて個別に引出し１９を施錠して管理することができる。小物用収納部８の小扉１２も錠２０が設けられて個別に施錠して管理することができる。
【００２１】
また、電源コンセント９は引出し１９の内部に引き込まれ、個別にノートパソコン５の充電ができるようになっている。近接スイッチ１４は磁石部１４ａが引出し１９の背面板１９ｂに設けられ、スイッチ部１４ｂが箱体２の夫々の磁石部１４ａに対向する位置に取り付けられて引出し１９の開閉を監視できるようになっている。また、小扉１２にも近接スイッチ１４の磁石部１４ａが設けられ、箱体２にスイッチ部１４ｂが設けられて開閉を監視できるようになっている。尚、近接スイッチ１４の動作については前述の説明と同様である。
【００２２】
尚、本実施例において箱体２に小物用収納部８やプリンタなどの大型電気機器の収納部を形成したが、これらは必要に応じて形成すれば良く、また、ノートパソコン５の収納部６も１列多段に形成してあるが複数列多段に形成しても良い。
【図面の簡単な説明】
【００２３】
【図１】本発明に係る棚板式収納のノートパソコン用キャビネットを示す要部を破断した正面図である。
【図２】本発明に係る棚板式収納のノートパソコン用キャビネットの内部構造を示す断面図である。
【図３】本発明に係る引出し型収納のノートパソコン用キャビネットを示す要部を破断した正面図である。
【図４】本発明に係る引出し型収納のノートパソコン用キャビネットの内部構造を示す引出しを引き出した状態の断面図である。
【符号の説明】
【００２４】
１    ノートパソコン用キャビネット
２    箱体
４    棚板
５    ノートパソコン
６    収納部
９    電源コンセント
１１    大扉
１２    小扉
１３    ハンドル
１４    近接スイッチ
１５    通信装置
１６    無線ＬＡＮ
１７    警報手段
１９    引出し
２０    錠
【図１】
2006239030.tif 000003
【図２】
2006239030.tif 000004
【図３】
2006239030.tif 000005
【図４】
2006239030.tif 000006